(57)【要約】      （修正有）【課題】自動ドアを装備した電磁波シールドルームにおいて、電磁波シールド効果のよりすぐれた電磁波シールドルームにおけるスイッチ取付け装置を提供する。【解決手段】自動ドアを有する電磁波シールドルーム１０に、ドアの開閉を制御する室内スイッチ２０を設けたスイッチ取付け装置において、室内スイッチ２０は、電磁波シールドルーム内に光ファイバー２７を配設し、この光ファイバー２７の端部に光スイッチ３４を取り付け、この光スイッチ３４は、２本一組とする光ファイバー２７の先端にそれぞれ発光端部２８と受光端部２９とを結合し、これらに対峙して発光端部２８からの光線を受光端部２９へ反射させる押し釦としての反射板３０を進退自在に設けたものである。【選択図】図１
2007220802.tif 000002
【特許請求の範囲】
【請求項１】
駆動部により自動開閉するドア１４を有する電磁波シールドルーム１０に、前記ドア１４の開閉を制御する室内スイッチ２０を設けた電磁波シールドルームにおけるスイッチ取付け装置において、前記室内スイッチ２０は、前記電磁波シールドルーム１０内に光ファイバー２７を配設し、この光ファイバー２７の端部に光スイッチ３４を取り付けたものからなることを特徴とする電磁波シールドルームにおけるスイッチ取付け装置。
【請求項２】
室内スイッチ２０の光スイッチ３４は、２本一組とする光ファイバー２７の先端にそれぞれ発光端部２８と受光端部２９とを結合し、これらの発光端部２８と受光端部２９とに対峙して発光端部２８からの光線を受光端部２９へ反射させる押し釦としての反射板３０を進退自在に設けたことを特徴とする請求項１記載の電磁波シールドルームにおけるスイッチ取付け装置。
【請求項３】
発光端部２８と受光端部２９に対峙した押し釦としての反射板３０は、少なくとも開動作用スイッチと閉動作用スイッチとを備え、前記閉動作用スイッチとして動作する反射板３０の押込み量が、開動作用スイッチとして動作する反射板３０の押込み量より大きくなるように設定したことを特徴とする請求項２記載の電磁波シールドルームにおけるスイッチ取付け装置。
【請求項４】
発光端部２８と受光端部２９に対峙した押し釦としての反射板３０は、少なくとも開動作用スイッチと閉動作用スイッチとを備え、前記閉動作用スイッチとして動作する反射板３０の信号出力の閾値が、開動作用スイッチとして動作する反射板３０の信号出力の閾値より大きくなるように設定したことを特徴とする請求項２記載の電磁波シールドルームにおけるスイッチ取付け装置。
【請求項５】
電磁波シールドルーム１０の開口１６に臨ませて駆動部により自動開閉するドア１４を設け、前記電磁波シールドルーム１０の室内側に、閉鎖防止用エリアセンサ３６を設けると共に、前記ドア１４の開閉を制御する室内スイッチ２０を設けた電磁波シールドルームにおけるスイッチ取付け装置において、前記室内スイッチ２０は、前記電磁波シールドルーム１０内に光ファイバー２７を配設し、この光ファイバー２７の端部に光スイッチ３４を取り付け、この光スイッチ３４は、２本一組とする光ファイバー２７の先端の発光端部２８と受光端部２９とに対峙して発光端部２８からの光線を受光端部２９へ反射させる押し釦としての反射板３０を進退自在に設けてなり、前記閉鎖防止用エリアセンサ３６は、２本一組とする光ファイバー２７の先端の発光端部２８と受光端部２９とを互いに開口１６の両側に対峙して設けたことを特徴とする電磁波シールドルームにおけるスイッチ取付け装置。
【発明の詳細な説明】
【技術分野】
【０００１】
本発明は、電磁波シールドルーム内に設置した室内スイッチにより自動ドア駆動部を制御するときに、室内スイッチの存在により電磁波シールド性能を低下させることのないようにした電磁波シールドルームにおけるスイッチ取付け装置に関するものである。
【背景技術】
【０００２】
電磁波シールドの必要な環境として、例えば、放電加工室、脳波測定室、放送スタジオ、空港レーダー管制室、コンピュータ室などあり、図４に示すような電磁波シールドルーム１０が構成される。この電磁波シールドルーム１０は、天井パネル１１，壁パネル１２，床パネル１３，ドア１４に電磁波シールド材料が使用され、また，場合によっては、窓１５に電磁波シールドガラスが使用される。
これらの電磁波シールドルーム１０において、ドア１４が取り付けられる開口１６の電磁波シールド機構は、特に十分な配慮が必要であり、そのため、開口１６の周りに導電性部材１８を取り付けてアースするとともに、ドア１４の周りにシールド部材１７を取り付け、また、ドア１４の閉鎖時に開口１６に密着させる機構を設けるなどの種々の発明が存在する（例えば、特許文献１、特許文献２など）。
【０００３】
然るに、ドア１４を手動で開閉するため、室内に電気的なスイッチを有しないものでは特に問題にならないが、ドア１４が自動ドアである場合、電磁波シールドルーム１０の室内に、開放、閉鎖、停止などの室内スイッチ２０を取り付けたり、電磁波シールドルーム１０への入退室を検出する発光素子２２，受光素子２３を取り付けたりする。この室内スイッチ２０、発光素子２２，受光素子２３を取り付けるためには、電源コード２１を室内に引き回し電気回路を構成して外部と電気的に接続しなければならない。この電源コード２１が電磁波シールドルーム１０の内外を導通していることで、この電源コード２１を介して外部の不要電波が電磁波シールドルーム１０内に侵入する。また、室内スイッチ２０が電気的に作動する有接点であると、室内スイッチ２０をオン、オフするときの接点ノイズが発生する。このため、電磁波シールドルーム１０の電磁波シールド性能を低下させてしまう。
外部の不要電波が電源コード２１を介して電磁波シールドルーム１０内に侵入するのを可能な限り減少させるため、図３に示すように、電磁波シールドルーム１０への電源や信号の導入部分にフィルタ回路２４を介在させることが行われている。
なお、１９は、駆動部制御用の室外スイッチ，２５は、信号処理回路，２６は、駆動制御部である。
【特許文献１】特開平１１−１８６７４９号
【特許文献２】特開平５−４４３７７号
【発明の開示】
【発明が解決しようとする課題】
【０００４】
解決しようとする問題点は、電磁波シールドルーム１０を自動ドアで開閉するものでは、電源コードから外部の不要電波の侵入を防止するため、フィルタ回路２４を介在したとしてもフィルタ回路２４の性質上、特定の周波数のノイズをある程度除去したとしても完全には除去できないこと、また、室内スイッチ２０をオン、オフするときの接点ノイズは依然として除去できないことにある。
本発明は、自動ドアを装備した電磁波シールドルームにおいて、電磁波シールド効果のよりすぐれた電磁波シールドルームにおけるスイッチ取付け装置を提供しようとするものである。
【課題を解決するための手段】
【０００５】
本発明は、駆動部により自動開閉するドア１４を有する電磁波シールドルーム１０に、前記ドア１４の開閉を制御する室内スイッチ２０を設けた電磁波シールドルームにおけるスイッチ取付け装置において、前記室内スイッチ２０は、前記電磁波シールドルーム１０内に光ファイバー２７を配設し、この光ファイバー２７の端部に光スイッチ３４を取り付け、この室内スイッチ２０の光スイッチ３４は、２本一組とする光ファイバー２７の先端にそれぞれ発光端部２８と受光端部２９とを結合し、これらの発光端部２８と受光端部２９とに対峙して発光端部２８からの光線を受光端部２９へ反射させる押し釦としての反射板３０を進退自在に設けたことを特徴とする電磁波シールドルームにおけるスイッチ取付け装置である。
【発明の効果】
【０００６】
請求項１記載の発明によれば、駆動部により自動開閉するドア１４を有する電磁波シールドルーム１０に、前記ドア１４の開閉を制御する室内スイッチ２０を設けた電磁波シールドルームにおけるスイッチ取付け装置において、前記室内スイッチ２０は、前記電磁波シールドルーム１０内に光ファイバー２７を配設し、この光ファイバー２７の端部に光スイッチ３４を取り付けたので、電源コードがなくなり、外部の不要電波の侵入を防止するためのフィルタ回路を設けなくてもあらゆる周波数のノイズを完全に除去することができる。また、室内スイッチ２０をオン、オフするときの接点ノイズは発生せず、電磁波シールド効果のよりすぐれた電磁波シールドルームを提供することができる。
【０００７】
請求項２記載の発明によれば、室内スイッチ２０の光スイッチ３４は、２本一組とする光ファイバー２７の先端にそれぞれ発光端部２８と受光端部２９とを結合し、これらの発光端部２８と受光端部２９とに対峙して発光端部２８からの光線を受光端部２９へ反射させる押し釦としての反射板３０を進退自在に設けたので、電気信号を必要としない既存の光線反射型のセンサーを利用して容易に電磁波シールドルームを実現できる。
【０００８】
請求項３記載の発明によれば、発光端部２８と受光端部２９に対峙した押し釦としての反射板３０は、少なくとも開動作用スイッチと閉動作用スイッチとを備え、前記閉動作用スイッチとして動作する反射板３０の押込み量が、開動作用スイッチとして動作する反射板３０の押込み量より大きくなるように設定したので、開動作用スイッチは、反射板３０のわずかな押込み量（距離）でも動作するように設定し、ドア１４が確実に開放するようにできる。また、閉動作用スイッチは、反射板３０の強い押込みで、かつ、十分な押込み量（距離）でなければ動作しないように設定して、重量の大きなドア１４をより安全に閉鎖せしめることができる。
【０００９】
請求項４記載の発明によれば、発光端部２８と受光端部２９に対峙した押し釦としての反射板３０は、少なくとも開動作用スイッチと閉動作用スイッチとを備え、前記閉動作用スイッチとして動作する反射板３０の信号出力の閾値が、開動作用スイッチとして動作する反射板３０の信号出力の閾値より大きくなるように設定したので、開放用光スイッチ３４ａは、反射板３０のわずかな押込み量（距離）でも動作するように閾値を低く設定し、ドア１４が確実に開放するようにする。また、閉鎖用光スイッチ３４ｃは、反射板３０の強い押込みで、かつ、十分な押込み量（距離）でなければ動作しないように閾値を大きく設定して、重量の大きなドア１４をより安全に閉鎖せしめることができる。
【００１０】
請求項５記載の発明によれば、室内スイッチ２０は、前記電磁波シールドルーム１０内に光ファイバー２７を配設し、この光ファイバー２７の端部に光スイッチ３４を取り付け、この光スイッチ３４は、２本一組とする光ファイバー２７の先端の発光端部２８と受光端部２９とに対峙して発光端部２８からの光線を受光端部２９へ反射させる押し釦としての反射板３０を進退自在に設けてなり、前記閉鎖防止用エリアセンサ３６は、２本一組とする光ファイバー２７の先端の発光端部２８と受光端部２９とを互いに開口１６の両側に対峙して設けたので、ドアの開閉駆動用スイッチのみならず、開口部における入退出検出用の閉鎖防止用エリアセンサにも電源コードがなくなり、外部の不要電波の侵入を防止するためのフィルタ回路を設けなくてもあらゆる周波数のノイズを完全に除去することができる。また、閉鎖防止用エリアセンサがオン、オフするときの接点ノイズは発生させず、電磁波シールド効果のよりすぐれた電磁波シールドルームを提供することができる。
【発明を実施するための最良の形態】
【００１１】
本発明による電磁波シールドルームにおけるスイッチ取付け装置は、電磁波シールドルーム１０の開口１６の室内側に、室内スイッチ２０と閉鎖防止用エリアセンサ３６が取り付けられる。
前記室内スイッチ２０と閉鎖防止用エリアセンサ３６は、室外の光電変換器３２から光ファイバー２７を介して室内に伝送された光線のみで動作し、電気回路を有していないものが使用される。室内スイッチ２０は、２本一組の光ファイバー２７の先端にそれぞれ設けた発光端部２８、受光端部２９と、これらに対峙して進退自在に設けた押し釦としての反射板３０とからなり、例えば、３個の光スイッチ３４、具体的には開放用光スイッチ３４ａ、停止用光スイッチ３４ｂ、閉鎖用光スイッチ３４ｃで構成される。
光ファイバー２７、光スイッチ３４，スイッチボックス３５は、外部からの電磁波の侵入を可能な限り防止するため、導電性の物質を用いず、可能な限りプラスチック等の非電導体で構成することが望ましい。
【００１２】
前記閉鎖防止用エリアセンサ３６は、開口１６の内側に通路を挟むように距離をもって発光端部２８と受光端部２９を取り付けてなるもので、それぞれの端部は、光ファイバー２７を持って室外の受光素子２３に連結される。
【００１３】
前記光電変換器３２における発光素子２２は、電気信号を光信号に変換して光ファイバー２７に出力し、また、受光素子２３は、光ファイバー２７からの光信号を受けて電気信号に変換するものである。
室内スイッチ２０の光スイッチ３４は、反射板３０の押込み量（距離）に応じて信号出力の閾値を調整して使用することができる。
【実施例１】
【００１４】
本発明による電磁波シールドルームにおけるスイッチ取付け装置の具体的な実施例１を図１及び図２に基づき説明する。
１０は、図４に示したものと同様の電磁波シールドルームで、この電磁波シールドルーム１０は、電磁波シールド材料からなる天井パネル１１，壁パネル１２，床パネル１３，ドア１４，窓１５で構成されている。前記ドア１４は、開口１６を開閉する自動ドアからなり、このドア１４の上部の無目には、モータ、駆動制御部２６、プーリ、駆動ベルトなどが室内に対して完全に電磁波シールドされた状態で収納されている。このドア１４は、スライド開閉型であってもよいし、スイング開閉型であってもよい。
【００１５】
前記電磁波シールドルーム１０には、開口１６の室内側に、室内スイッチ２０と閉鎖防止用エリアセンサ３６が取り付けられ、開口１６の室外側に室外スイッチ１９が取り付けられている。
前記室内スイッチ２０と閉鎖防止用エリアセンサ３６は、室外の光電変換器３２から光ファイバー２７を介して室内に伝送された光線のみで動作するものである。このうち、室内スイッチ２０は、２本一組の光ファイバー２７の先端にそれぞれ設けた発光端部２８と、受光端部２９と、これら発光端部２８，受光端部２９に対峙して進退自在に設けた押し釦としての反射板３０とからなり、３個の光スイッチ３４、具体的には開放用光スイッチ３４ａ、停止用光スイッチ３４ｂ、閉鎖用光スイッチ３４ｃで構成されている。
【００１６】
さらに詳しくは、図２に示すように、前記光スイッチ３４は、円筒形のハウジング３３の内部に発光端部２８と受光端部２９を並べて設けるとともに、押し釦としての反射板３０をばね３１にて進退自在に設け、前記発光端部２８と受光端部２９に、２本一組の光ファイバー２７をそれぞれ一本ずつ連結し、３個の光スイッチ３４、具体的には開放用光スイッチ３４ａ、停止用光スイッチ３４ｂ、閉鎖用光スイッチ３４ｃをスイッチボックス３５に取り付けたものである。前記光ファイバー２７、光スイッチ３４，スイッチボックス３５は、外部からの電磁波の侵入を可能な限り防止するため、可能な限り導電性材料を用いることなく、プラスチック等の非電導体で構成することが望ましい。
【００１７】
前記閉鎖防止用エリアセンサ３６は、開口１６の左右内側に通路を挟むように距離をもって発光端部２８と受光端部２９を取り付けてなるもので、開口１６の略中間の高さ位置と、敷居に近い位置とにそれぞれ一組ずつ取り付けられ、発光端部２８は、光ファイバー２７を持って室外の発光素子２２に連結され、受光端部２９は、光ファイバー２７を持って室外の受光素子２３に連結される。
【００１８】
前記光電変換器３２における発光素子２２は、電気信号を光信号に変換して光ファイバー２７に出力し、また、受光素子２３は、光ファイバー２７からの光信号を受けて電気信号に変換するものである。
室外スイッチ１９は、電磁波シールドルーム１０の室外に取り付けられるもので、電気的にオン、オフする有接点の３個の操作スイッチ３７、具体的には、開放用操作スイッチ３７ａ、停止用操作スイッチ３７ｂ、閉鎖用操作スイッチ３７ｃで構成する。
この室外スイッチ１９と前記光電変換器３２は、信号処理回路２５に接続され、さらに、無目内のモータ等を制御する駆動制御部２６に接続される。
【００１９】
以上のような構成における作用を説明する。
電磁波シールドルーム１０に入室するには、室外の開放用操作スイッチ３７ａを押して、その電気信号が信号処理回路２５を介して駆動制御部２６へ送られて無目内の駆動装置を起動してドア１４を開放する。開口１６から人間が入ると、閉鎖防止用エリアセンサ３６の発光端部２８から受光端部２９への光線が遮断されている間は、閉鎖用操作スイッチ３４ｃ及び３７ｃを押してもドア１４が閉じることを防いでいる。
【００２０】
すなわち、人間が電磁波シールドルーム１０内に入るとき、閉鎖防止用エリアセンサ３６の発光端部２８から受光端部２９への光線が一時的に遮断されるが、この光線が遮断されている間は、その遮断信号が受光素子２３で光信号を電気信号に変換して信号処理回路２５へ送られ、この信号処理回路２５からの指令により、閉鎖用光スイッチ３４ｃの反射板３０が押されても駆動制御部２６がドア１４を閉鎖するのを防止している。
【００２１】
人間が開口１６から電磁波シールドルーム１０内に入り、閉鎖防止用エリアセンサ３６のエリアから外れ、室内スイッチ２０の閉鎖用光スイッチ３４ｃの反射板３０を押すと、反射板３０が発光端部２８と受光端部２９に近づき、受光端部２９での受光量が増大し、光線が光ファイバー２７を介して光電変換器３２の受光素子２３で受光され、受光量が設定された閾値を超えると、光電変換器３２から信号処理回路２５、駆動制御部２６へ電気信号を送り、駆動制御部２６からの指令により、ドア１４を閉鎖する。
【００２２】
電磁波シールドルーム１０内の人間が電磁波シールドルーム１０から出るときに、室内スイッチ２０の開放用光スイッチ３４ａの反射板３０を押すと、反射板３０が発光端部２８と受光端部２９に近づき、受光端部２９での受光量が増大し、光線が光ファイバー２７を介して光電変換器３２の受光素子２３で受光され、受光量が設定された閾値を超えると、光電変換器３２から信号処理回路２５、駆動制御部２６へ電気信号を送り、駆動制御部２６からの指令により、ドア１４を開放する。
【００２３】
ドア１４を開放後、人間が電磁波シールドルーム１０から退出して室外スイッチ１９の閉鎖用操作スイッチ３７ｃを押すと、信号処理回路２５を経て駆動制御部２６に信号を送り、ドア１４は閉鎖する。
なお、室外スイッチ１９の停止用操作スイッチ３７ｂ及び室内スイッチ２０の停止用光スイッチ３４ｂは、全開、半開又は閉鎖を停止させるときに操作される。
【００２４】
前記実施例１において、室内スイッチ２０を構成する開放用光スイッチ３４ａ、停止用光スイッチ３４ｂ、閉鎖用光スイッチ３４ｃは、反射板３０の押込み量（距離）に応じて信号出力の閾値を調整して使用することができる。例えば、開放用光スイッチ３４ａは、反射板３０のわずかな押込み量（距離）でも動作するように閾値を小さく設定し、ドア１４が確実に開放するようにする。これに対し、閉鎖用光スイッチ３４ｃは、重量の大きなドア１４をより安全に閉鎖するために、反射板３０の強い押込みで、かつ、十分な押込み量（距離）でなければ動作しないように大きな閾値を設定する。
【実施例２】
【００２５】
前記実施例１では、室外スイッチ１９は、開放用操作スイッチ３７ａ、停止用操作スイッチ３７ｂ、閉鎖用操作スイッチ３７ｃで構成し、室内スイッチ２０は、開放用光スイッチ３４ａ、停止用光スイッチ３４ｂ、閉鎖用光スイッチ３４ｃで構成し、それぞれ開動作、停止動作、閉動作の３点式スイッチとしたがこれに限られるものではなく、以下のような構成とすることもできる。
・開動作と閉動作の２点式スイッチとする。
・最初のスイッチ入力で開動作（又は閉動作）を行い、次のスイッチ入力で閉動作（又は開動作）を行う、いわゆる自動ドア用におけるインチング動作用１点式スイッチとする。
・前記１点式スイッチに操作無効、操作有効などのスイッチを付加する。
・前記２点式、３点式でも同様にスイッチに操作無効、操作有効などのスイッチを付加する。
【００２６】
前記実施例１において、室内スイッチ２０は、有色の光線を用い、かつ、押し釦部分を発光させれば、夜間や暗室などでも使用することができる。
前記実施例１において、室内スイッチ２０は、発光端部２８と、受光端部２９と、これらに対峙して発光端部２８からの光線を受光端部２９へ反射させる押し釦としての反射板３０とで構成したが、これに限られるものではなく、発光端部２８から受光端部２９への光線を押し釦の進退で遮断したり、通過させたりしてオン、オフするように構成してもよい。
【図面の簡単な説明】
【００２７】
【図１】本発明による電磁波シールドルームにおけるスイッチ取付け装置の一実施例を示すブロック図である。
【図２】図１における室内スイッチ２０の具体例を示す一部断面した側面図である。
【図３】従来の電磁波シールドルームにおけるスイッチ取付け装置のブロック図である。
【図４】電磁波シールドルーム１０の一例を示す斜視図である。
【符号の説明】
【００２８】
１０…電磁波シールドルーム、１１…天井パネル、１２…壁パネル、１３…床パネル、１４…ドア、１５…窓、１６…開口、１７…シールド部材、１８…導電性部材、１９…室外スイッチ、２０…室内スイッチ、２１…電源コード、２２…発光素子、２３…受光素子、２４…フィルタ回路、２５…信号処理回路、２６…駆動制御部、２７…光ファイバー、２８…発光端部、２９…受光端部、３０…反射板、３１…ばね、３２…光電変換器、３３…ハウジング、３４…光スイッチ、３５…スイッチボックス、３６…閉鎖防止用エリアセンサ、３７…操作スイッチ。
【図１】
2007220802.tif 000003
【図２】
2007220802.tif 000004
【図３】
2007220802.tif 000005
【図４】
2007220802.tif 000006